(57)【要約】【課題】  印刷の確認の際に、ロール紙印刷において無駄となる領域を直感的に認知することが可能な画像表示装置および画像表示方法を提供する。【解決手段】  印刷設定時や印刷確認時に、実印刷サイズとロール紙サイズを用いて空白領域の算出を行い、切り取られてしまう空白領域の数値データや割合比率を表示する。  さらに、空白領域を利用することにより、ユーザが優先したい印刷条件に応じて、効率的に記録媒体を活用できる印刷設定の一覧表示を行う。  これにより、ユーザが望む印刷結果の範囲内で、より空白領域を少ない設定を容易に選ぶことができる。【選択図】  図１
2009104535.tif 000002
【特許請求の範囲】
【請求項１】
印刷装置に通信手段を介して接続されている画像表示装置であって、前記印刷装置が印刷を行うデータ領域および印刷が行われる記録媒体の長さと幅を取得できる取り込み手段と、前記取り込み手段で取得した長さと幅から空白になる領域を算出するサイズ算出手段を備えたことを特徴とする画像表示装置。
【請求項２】
前記空白領域に基づいてプレビュー表示を行うプレビュー表示手段を備えたことを特徴とする請求項１に記載の画像表示装置。
【請求項３】
前記プレビュー表示手段において、前記印刷データに応じて前記空白領域が少なくなる印刷設定を提示する請求項２に記載の画像表示装置。
【請求項４】
印刷装置に通信手段を介して接続されている画像表示装置の画像表示方法であって、前記印刷装置が印刷を行うデータ領域および印刷が行われる記録媒体の長さと幅を取得できる取り込み工程と、前記取り込み手段で取得した長さと幅から空白になる空白領域を算出するサイズ算出工程を備え、
前記空白領域において前記記録媒体に対する割合を算出する割合算出工程を備えたことを特徴とする画像表示方法。
【請求項５】
前記空白領域に基づいてプレビュー表示を行うプレビュー表示工程を備えたことを特徴とする請求項４に記載の画像表示方法。
【請求項６】
前記プレビュー表示工程において、ユーザが優先したい印刷形式に応じて前記空白領域が少なくなる印刷設定を提示する請求項５に記載の画像表示方法。
【発明の詳細な説明】
【技術分野】
【０００１】
本発明は、印刷対象領域の表示を行うことにより、印刷媒体を効率的に利用することを目的とする画像表示装置および画像表示方法に関する。
【背景技術】
【０００２】
近年はコンピュータの高性能化により、大判プリンタが製品として次々と増えてきており、それに伴ってロール紙の消費量も増加している。
【０００３】
しかし、ロール紙に印刷を行う場合は、印刷したいデータを横幅と一致させる場合には、対応した幅のロール紙に入れ替える必要があった。大判プリンタに対応したロール紙は非常に大きく、重量もあるので、入れ替えは非常に面倒である。
【０００４】
このため、やや大きめのロール紙を常時取り付けて、無駄な領域ができないように印刷データを回転させたり、拡大や縮小を行ったりしていたが、より詳細に設定を行うのが手間になってしまい、ある程度の設定で諦めているのが一般的であった。
【０００５】
従来から、記録媒体の消費量を簡単に減らす方法として、設定に応じてデータを分割、回転を行って印刷するものがある（例えば、特許文献１参照）。他にも、印刷対象の向きを自動的に調整する配置技術もある（例えば、特許文献２参照）
【特許文献１】特開２００３−２７１３７０号公報
【特許文献２】特開２００５−２９２９６１号公報
【発明の開示】
【発明が解決しようとする課題】
【０００６】
しかしながら、特許文献１や特許文献２の方法を用いても、消費量を削減するため様々な設定があり、本当に効率的に記録媒体を使えているか判断する基準がなかった。
【０００７】
本発明は上述の問題点を解決するためになされたものであり、ユーザが印刷設定や印刷確認を行っている際に直感的に記録媒体を効率的に使えているかどうかの判断基準を設けることを目的とする。
【０００８】
さらに、判断基準を利用することにより、ユーザが優先したい印刷条件に応じて、効率的に記録媒体を活用できる印刷設定の一覧表示を行う画像表示装置および画像表示方法を提供しようとするものである。
【課題を解決するための手段】
【０００９】
上記課題を解決するため、印刷装置が印刷を行うデータ領域および印刷が行われる記録媒体の長さと幅を取得できる取り込み手段と、取得した長さと幅から空白になる領域を算出するサイズ算出手段とを備えている。
【００１０】
また、空白領域に基づいて空白領域の数値データや割合比率の表示を行うプレビュー表示手段を備えたことを特徴とし、印刷データに応じて空白領域が少なくなる印刷設定を提示することを特徴とする構成となっている。
【００１１】
解決の手段として最低限必要とするデータは、印刷を行う印刷データの論理サイズ（以下、実印刷サイズとも言う）と印刷が行われる記憶媒体の物理サイズ（以下、ロール紙サイズとも言う）である。実印刷サイズとロール紙サイズを用いて空白領域の算出を行う。
【００１２】
ここでのサイズとは、印刷における縦と横の長さがそれぞれ定量化された値であり、2つの値を持つデータとする。例えば、ロール紙においては紙の長さや紙の幅と表現される。
【００１３】
さらに、ここでの空白領域とは、ロール紙サイズから実印刷サイズを引いたサイズである。ロール紙サイズよりも実印刷サイズの方が大きいということは印刷領域が足りないことを意味し、印刷を行わないことから、通常において空白領域はゼロまたはプラスの値をとる。
【発明の効果】
【００１４】
本発明によれば、ロール紙に対しての空白領域をデータ化することによって、用紙カットによって無駄となる領域が数値や割合として直感的に認知できる。
【００１５】
さらに、空白となる領域があまりに多い場合は印刷設定を見直す機会となり、空白領域ばかりでロール紙を消費してしまうミスの防止にもなり、資源を有効に活用することができる。
【００１６】
これにより、一回の印刷における紙送り回数の減少が見込め、記録ヘッドの往復回数の削減もできるため、印刷装置の可動部の寿命軽減や印刷時間の高速化が期待できる。
【発明を実施するための最良の形態】
【００１７】
次に、本発明の詳細を実施例の記述に従って説明する。
【実施例１】
【００１８】
以下、添付図面を参照して本発明の実施形態について詳細に説明する。
【００１９】
図１は本発明の実施例における動作処理のフロー図である。ここで言う空白率とは、必要なロール紙サイズに対する空白領域の割合を表示したものである。
【００２０】
まず、プレビュー表示が始まると、現状の印刷設定のロードを行う（Ｓ１）。
【００２１】
次に、空白率の算出にあたり最低限必要なデータとして、実印刷サイズとロール紙サイズを取得する（Ｓ２）。図２は実印刷サイズとロール紙長さの対応表である。この際、ロール紙長さは印刷に必要とする実印刷サイズと同一である。
【００２２】
データを取得後、現状の印刷設定においての空白率の算出を行う（Ｓ３）。空白率の算出方法の説明は図３を用いて行う。図３は図２から得たデータに対する空白領域と空白率の対応表である。
【００２３】
取得した実印刷サイズとロール紙サイズを用いて、空白領域を求める。ロール紙幅から実印刷幅を引いた値を空白幅とする。この際、空白長さは印刷に必要とする実印刷サイズと同一である。これにより、空白領域を得ることができる。
【００２４】
次に、空白面積からロール紙面積を割った値に、パーセンテージ表示のために100をかけて、空白率とする。空白率により、空白領域はロール紙サイズのどれだけの割合を占めるかを判断することができる。
【００２５】
空白率の表示を行った後、ユーザが設定変更を行った場合は再度印刷設定のロードに戻る（Ｓ４／ＹＥＳ）。印刷処理またはキャンセルを行った場合は終了となる（Ｓ４／ＮＯ）。
【００２６】
図４はロール紙に複数の文書を印刷する場合のプレビュー表示例である。図中の１は印字領域であり、２は空白領域である。
【００２７】
図４−１はデフォルトの設定でプレビュー表示をした場合の空白率表示であり、実印刷サイズの長さが長いため、空白領域の幅が非常に大きくなっている。
【００２８】
図４−２はA4サイズの長さで折り返した設定に変更した場合の空白率表示であり、図４−１と比較して可読性の低下をユーザが感じなければ、空白率は少なくなった。
【００２９】
図４−３は全ての文書を90度回転させた場合の空白率表示であり、今回の場合は効率良く空白率を削減できる印刷設定であることがわかる。
【００３０】
空白率の利用形態として、ユーザが優先したい印刷方式によって重み付けをした検索を行い、好適と思われる複数の印刷設定をそれぞれ空白率が少ない順に並べて提示することが考えられる。
【００３１】
ユーザが優先したい印刷方式によって重み付けをするとは、拡大や縮小を行わない、回転を行わない、中央に印刷したいなどの印刷領域に直接関わる項目によって節約できる印刷設定を絞り込むことである。
【００３２】
具体的には、ユーザが縮小を許可している場合、印刷サイズを少し縮小すると劇的に空白領域が減る状況（幅が完全に合致するなど）を優先的に提示する。
【００３３】
よって、図４のような印刷設定例を一覧提示する構成にすると、ユーザが求める印刷結果の範囲内で、用紙が最も節約できる印刷設定を簡単に選択することができる。
【００３４】
さらに、空白率が50％以上の場合は印字前に警告を行うようにするなど、空白領域の範囲に応じて新たな制御を付加することで、より効率的に資源の有効活用を促すことができる。
【００３５】
なお、今回の実施例では上下左右の余白（縁）を空白率の算出範囲に含めなかったが、縁なし印字や余白の長さを空白率の算出範囲に含めても構わない。
【００３６】
さらに、今回の実施例では空白率という割合で表示を行ったが、定量化された空白領域を明示する構成でも構わないし、逆に実印字を行う割合やサイズを明示する構成でも構わない。
【図面の簡単な説明】
【００３７】
【図１】本発明の実施形態における動作処理のフロー図である。
【図２】本発明の実施例における各サイズの対応表である。
【図３】本発明の実施例における空白領域と空白率の対応表である。
【図４】本発明の実施例におけるプレビュー表示方法である。
【符号の説明】
【００３８】
１  印字領域
２  空白領域
【図１】
2009104535.tif 000003
【図２】
2009104535.tif 000004
【図３】
2009104535.tif 000005
【図４】
2009104535.tif 000006